(57)【要約】【課題】  物品への粘着及び引き剥がしを迅速で容易に行なえ、しかも作業性、環境に優れたシート部材を提供する。【解決手段】  シート部材１は、物品３０に対し重なり合う形状のシート本体１０と、物品３０に粘着される接着層２３が形成された粘着テープ２０とを備え、粘着テープ２０はシート本体１０の両端にそれぞれ粘着され、基材２１の表面側に粘着剤が塗布された接着層２３と剥離面２２とが互いに隣り合うように形成され、接着層２３と剥離面２２との間には折り返し部２５が設けられ、接着層２３は折り返し部２５で折曲して剥離面２２に粘着可能で、かつ剥離面２２から剥がした状態で物品３０に粘着される。【選択図】  図２
2006243260.tif 000002
【特許請求の範囲】
【請求項１】
物品に対し重なり合う形状のシート本体と、物品に粘着される接着層が形成された粘着テープとを備え、粘着テープはシート本体の両端にそれぞれ粘着され、基材の表面側に粘着剤が塗布された接着層と剥離面とが互いに隣り合うように形成され、接着層と剥離面との間には折り返し部が設けられ、接着層は折り返し部で折曲して剥離面に粘着可能で、かつ剥離面から剥がした状態で物品に粘着されることを特徴とするシート部材。
【請求項２】
前記シート本体は正面シートと背面シートとからなり、互いのシートの間に小物を収容するための開口部及び収容室が形成されたことを特徴とする請求項１に記載のシート部材。
【請求項３】
前記シート本体の開口部は、粘着テープの接着層と同一面側に形成されたことを特徴とする請求項２に記載のシート部材。
【発明の詳細な説明】
【技術分野】
【０００１】
この発明は、例えば商品を収容する梱包箱などの物品に粘着するシート部材に関するものである。
【背景技術】
【０００２】
例えば、通信販売業者が配送業者を利用して顧客に対し商品を送付する場合、梱包箱の内部に顧客から注文された商品を収容する。この梱包箱の表面にはシート部材を粘着し、シート部材には、配送業者が必要とする配達先の住所、氏名などの情報が記載された配達伝票を、取り出しやすい位置に添付していた。このようなシート部材は、梱包箱の表面と向かい合わせる裏面側全面に、粘着剤が塗布された接着層が形成されており、接着層には梱包箱に貼り付ける前の状態では剥離紙が貼り付けられており、梱包箱に粘着する場合には、剥離紙を剥がすことで接着層が露出され、この接着層を梱包箱の表面に粘着させていた。このシート部材は裏面側全体に接着層が形成されており、その全面を梱包箱の表面に粘着していた。
【特許文献１】特開昭６０−１５９８８０号公報
【発明の開示】
【発明が解決しようとする課題】
【０００３】
ところで、上記のシート部材は、梱包箱へ粘着する場合に接着層を露出させるには、予め接着層を覆っている剥離紙を引き剥がしておく必要がある。この場合、剥離紙は廃棄させる必要があり、不要物として廃棄するのは手間がかかるものである。しかも大量の剥離紙が発生すると余分な処理費用が必要となるうえ、ゴミ公害の一因となり、環境上問題があった。さらに梱包箱とシート部材とは材質が異なると、梱包箱を使用後に廃棄する際に梱包箱とシート部材とを分別する必要があり、その全面が梱包箱に隙間なく粘着されているシート部材を梱包袋から引き剥がすには手間のかかるものであった。
【０００４】
この発明の目的は、物品への粘着及び引き剥がしを迅速で容易に行なえ、しかも作業性、環境に優れたシート部材を提供することにある。
【課題を解決するための手段】
【０００５】
上記の目的を達成するために、請求項１に記載の発明においては、シート部材は、物品に対し重なり合う形状のシート本体と、物品に粘着される接着層が形成された粘着テープとを備え、粘着テープはシート本体の両端にそれぞれ粘着され、基材の表面側に粘着剤が塗布された接着層と剥離面とが互いに隣り合うように形成され、接着層と剥離面との間には折り返し部が設けられ、接着層は折り返し部で折曲して剥離面に粘着可能で、かつ剥離面から剥がした状態で物品に粘着されることを特徴とする。
【０００６】
請求項２に記載の発明においては、請求項１に記載の発明において、前記シート本体は正面シートと背面シートとからなり、互いのシートの間に小物を収容するための開口部及び収容室が形成されたことを特徴とする。
【０００７】
請求項３に記載の発明においては、請求項２に記載の発明において、前記シート本体の開口部は、粘着テープの接着層と同一面側に形成されたことを特徴とする。
【発明の効果】
【０００８】
請求項１では  物品に粘着するさいに粘着テープから剥離紙を引き剥がしたり、剥離紙を廃棄する必要がなく、作業性がよく環境に優れたシート部材を提供することができる。しかもシート部材は両端のみに接着層が形成されているので、その全面を物品の表面に粘着する必要がなく、作業性が極めてよいものである。さらに、シート部材を物品から引き剥がす際には、シート本体と物品との間に手を入れ、シート本体を上へ引っ張れば容易に引き剥がすことができる。
【０００９】
請求項２では、前記シート本体は正面シートと背面シートとからなり、互いのシートの間に小物を収容するための開口部及び収容室が形成されているので、配達伝票、受領証等の小物をシート部材に添付することができる。
【００１０】
請求項３では、前記シート本体の開口部は、粘着テープの接着層と同一面側に形成されているので、粘着テープの接着層を物品に粘着すると、シート本体の開口部は物品の表面と向かい合い、収容室に収容された小物は汚れたり、開口部から抜け落ちることがない。
【発明を実施するための最良の形態】
【００１１】
以下、本発明の実施例１を図に基づいて詳細に説明する。
【実施例１】
【００１２】
本発明のシート部材１は図１及び図２に示すように、シート本体１０と粘着テープ２０とを備えている。シート本体１０は本実施例の場合、縦長の長方形で、透明又は彩色された合成樹脂フィルム、又は紙製の正面シート１１と背面シート１２とからなり、この背面シート１２は正面シート１１より縦長で、正面シート１１より一方に突出した延長部１３が形成されている。互いのシート１１，１２は前後に向かい合わせて左右側縁及び下辺に熱溶着又は接着でそれぞれシール１４が施され、正面シート１１の上端面と背面シート１２との間には開口部１５が形成されている。この開口部１５の下部で正面シート１１と背面シート１２との間の空間には収容室１６が形成され、この収容室１６には例えば通信販売による配送で使用される配達伝票、受領証等の小物１７が収容される。
【００１３】
前記粘着テープ２０は図３及び図４に示すように、両シート１１，１２と同一の横幅で、かつ適宜な高さに形成され、紙又はプラスチックフィルム等の周知の材料からなる基材２１の表面側に、シリコン又は非シリコン系剥離剤がコーティングされている剥離面２２が形成され、この剥離面２２を略中央として図中上下両側に、感圧性接着剤が塗布されている第１接着層２３と第２接着層２４とがそれぞれ隣り合うように形成されている。
【００１４】
粘着テープ２０の剥離面２２と第１接着層２３との間には、幅方向全長にわたり折り返し部２５が設けられ、図３及び図４は使用時に折り返し部２５を中心として第１接着層２３を剥離面２２から剥がして露出させた状態であり、通常は図２のように第１接着層２３は折り返し部２５を中心に折り返し、この第１接着層２３に塗布された感圧性接着剤が剥離面２２に付着して軽く粘着しており、この剥離面２２はシリコン又は非シリコン系剥離剤がコーティングされているので貼着力は弱く、第１接着層２３を指で持ち一方に引っ張れば、軽い力で剥離面２２から剥がして露出させることができるようにしている。また、第１接着層２３の上端には左端から右端まで連続して帯状に、粘着剤が塗布されていない非接着部２６が形成され、粘着力を備えていない非接着部２６を指で摘むことで、第１接着層２３をさらに剥離面２２から剥がしやすくしている。なお、非接着部は粘着テープから無くしてもよく、この場合、第１接着層の端を指で摘んで剥離面から剥がせばよい。
【００１５】
前記粘着テープ２０は同一物品を二つ用意し、図２に示すように、一方の粘着テープ２０は背面シート１２の延長部１３先端で開口部１５と反対側である裏側に第２接着層２４が粘着され、もう一方の粘着テープ２０は背面シート１２の下側先端に第２接着層２４が粘着される。この場合、二つの粘着テープ２０，２０は同一側面方向を向き、第１接着層２３とシート本体１０の開口部１５とが同一方向に面するように粘着される。このように、両粘着テープ２０，２０をシート本体１０の上下両端に対し粘着することで、シート部材１は後述する物品３０に対し、シート本体１０が粘着されない状態で粘着することができる。
【００１６】
図５に示すように、前記物品である例えば梱包箱３０は、通信販売などで配送されるものであり、商品３２を収容するための所用の空間３１が形成された立方形の箱型に形成されており、その上面側に本発明のシート部材１が粘着される。なお、シート部材を梱包箱に粘着する位置は上面側に限らず、例えば何れかの側面側、梱包箱の内部などに粘着してもよい。図２に示すように、梱包箱３０に粘着する前の状態の粘着テープ２０は、第１接着層２３が折り返し部２５を中心に折り返して剥離面２２に重ね合わせ軽く貼着しているので、第１接着層２３の粘着剤は表面に露出せず保護され、小物１７を開口部１５から収容室１６に収容する際に第１接着層２３に付着することはなく、スムーズに収容することができる。
【００１７】
本発明のシート部材１において、各粘着テープ２０，２０を物品である梱包箱３０に粘着する場合、通常は覆い隠されている第１接着層２３を露出させる必要がある。この場合、図４及び図６に示すように折り返し部２５を中心に第１接着層２３を剥離面２２から剥がして露出させた状態とする。第１接着層２３の上部には接着剤が塗布されていない非接着部２６が形成されているので、この非接着部２６を指で摘んで引っ張れば剥離面２２から容易に引き剥がすことができる。そして、図５に示すように梱包箱３０の表面に各粘着テープ２０，２０の第１接着層２３を貼着する。この状態では、シート部材１はその開口部１５が物品３０の表面と向かい合い、上部に露出することがないので、収容室１６に収容されている小物１７は汚れることがないうえ、シート部材１から抜け落ちることはない。
【００１８】
次に梱包箱３０が配送先に配送された後、この梱包箱３０からシート部材１を分離させるには、シート本体１０と物品３０との間に形成される空間Ａに手を入れ、シート本体１０を摘んで上方に強く引っ張れば、梱包箱３０から容易に分離させることができる。
【００１９】
以上のように本発明のシート部材は、梱包箱のような物品に粘着するさいに粘着テープから剥離紙を剥がしたり、剥離紙を不要物として廃棄する作業が必要でない。しかもシート部材の両端のみに接着層が形成されているので、全面を物品の表面に粘着する必要がなく作業性が極めてよいものである。しかも、シート部材を物品から引き剥がす場合には、シート本体と物品との間に手を入れ、シート本体を摘んで上へ引っ張れば容易に引き剥がすことができる。
【実施例２】
【００２０】
図７は本発明の第２実施例である。この実施例のシート部材１ａはシート本体１０ａが１枚のシートからなり、収容室は形成されておらず、その表面には物品の内部に収容される商品を示す表示３３が施されている。なお、粘着テープの構成は実施例１の構成と同一であるので、その説明を省略する。このようにシート部材１ａは第１実施例のように収容室が形成された袋状のものでなくてもよく、例えば果物が収容されるパック３４に使用し、シート本体１０ａによりパック３４の表面を覆い、シート本体１０ａの両端に粘着されている粘着テープ２０，２０をパック３４に粘着し、パック３４を部分的に覆うようにしてもよい。
【図面の簡単な説明】
【００２１】
【図１】本発明のシート部材の正面図である。
【図２】シート部材の縦断面図である
【図３】シート部材の粘着テープにおいて、第１接着層を露出させた状態の拡大説明図である。
【図４】シート部材の正面図で、粘着テープの第１接着層が露出した状態の説明図である。
【図５】物品にシート部材が粘着した状態の説明図である。
【図６】物品にシート部材を粘着する状態の拡大説明図である。
【図７】実施例２の説明図である。
【符号の説明】
【００２２】
１      ：  シート部材
１０    ：  シート本体
１１    ：  正面シート
１２    ：  背面シート
１５    ：  開口部
１６    ：  収容室
１７    ：  小物
２０    ：  粘着テープ
２１    ：  基材
２２    ：  剥離面
２３    ：  第１接着層
２５    ：  折り返し部
３０    ：  物品
【図１】
2006243260.tif 000003
【図２】
2006243260.tif 000004
【図３】
2006243260.tif 000005
【図４】
2006243260.tif 000006
【図５】
2006243260.tif 000007
【図６】
2006243260.tif 000008
【図７】
2006243260.tif 000009
【手続補正書】
【提出日】平成17年3月2日(2005.3.2)
【手続補正１】
【補正対象書類名】明細書
【補正対象項目名】０００３
【補正方法】変更
【補正の内容】
【０００３】
ところで、上記のシート部材は、梱包箱へ粘着する場合に接着層を露出させるには、予め接着層を覆っている剥離紙を引き剥がしておく必要がある。この場合、剥離紙は廃棄させる必要があり、不要物として廃棄するのは手間がかかるものである。しかも大量の剥離紙が発生すると余分な処理費用が必要となるうえ、ゴミ公害の一因となり、環境上問題があった。さらに梱包箱とシート部材とは材質が異なると、梱包箱を使用後に廃棄する際に梱包箱とシート部材とを分別する必要があり、その全面が梱包箱に隙間なく粘着されているシート部材を梱包箱から引き剥がすには手間のかかるものであった。